(57)【要約】    【課題】当該インターホンシステムを構成する一斉放送元の機器から一斉放送先の機器に送受信される制御信号についてシミュレートさせた開始信号をもとに外部入力一斉放送を行う。    【解決手段】外部ネットワーク５を経由して外部入力アダプタ４の外部入力部４０に、例えば、地震、津波、火砕流等の災害情報に伴う外部入力一斉放送のための音声信号Ｓ5が外部入力されると、この外部入力を検出したアダプタＣＰＵ４２は、音声変換部４１を制御して、外部入力部に外部入力された音声信号の音声レベルを外部入力一斉放送に必要な音声レベルに変換した音声信号Ｓ5aを生成させるとともに、管理室親機２から制御機６に送信される制御信号Ｓ1をシミュレートした外部入力一斉放送のための開始信号Ｓ6を生成することができ、制御機の制御機ＣＰＵ６０は、開始信号について外部入力アダプタのアダプタＣＰＵからの信号であるとの認識が不要となる。  【選択図】図１
2008187657.tif 000002
【特許請求の範囲】
【請求項１】
来訪者が居住者及び管理人の何れかを呼び出して通話を成立させるための集合玄関機（１）と、前記来訪者からの呼び出しに応答した前記管理人が通話を成立させるとともに、前記管理人が前記居住者を呼び出して通話及び館内一斉放送の一方を成立させるための管理室親機（２）と、前記来訪者及び前記管理人の何れかの呼び出しに応答した前記居住者が通話を成立させるための居室親機（３ａ、３ｂ、・・・）と、前記集合玄関機、前記管理室親機及び前記居室親機をそれぞれ、制御信号の送受信により制御するための制御機（６）とを備え、
前記居室親機にて行う外部入力一斉放送のための音声を外部入力する外部入力部（４０）と、前記外部入力部に外部入力される音声レベルを前記外部入力一斉放送に必要な音声レベルに変換するための音声変換部（４１）と、前記外部入力部への外部入力を検出して前記音声変換部を制御するとともに、前記管理室親機が送信する前記制御信号をシミュレートした前記外部入力一斉放送のための開始信号を生成するアダプタＣＰＵ（４２）とを有する外部入力アダプタ（４）を備え、
前記制御機には、前記外部入力アダプタのアダプタＣＰＵにて生成された開始信号を検出して、前記音声変換部にて変換された音声を前記居室親機にて外部入力一斉放送させるための制御機ＣＰＵ（６０）を備えたことを特徴とするインターホンシステム。
【請求項２】
来訪者が居住者を呼び出して通話を成立させるための玄関子機（７）と、前記来訪者からの呼び出しに応答した前記居住者が通話を成立させるための居室親機（８）及び増設親機（９）とを備え、
前記玄関子機、前記居室親機、前記増設親機はそれぞれ、制御信号の送受信により制御され、
前記居室親機及び／又は前記増設親機にて行う外部入力一斉放送のための音声を外部入力する外部入力部（１００）と、前記外部入力部に外部入力される音声レベルを前記外部入力一斉放送に必要な音声レベルに変換するための音声変換部（１０１）と、前記外部入力部への外部入力を検出して前記音声変換部を制御するとともに、前記増設親機が送信する前記制御信号をシミュレートした前記外部入力一斉放送のための開始信号を生成するアダプタＣＰＵ（１０２）とを有する外部入力アダプタ（１０）を備え、
前記居室親機には、前記外部入力アダプタのアダプタＣＰＵにて生成された開始信号を検出して、前記音声変換部にて変換された音声を当該居室親機にて外部入力一斉放送させるための親機ＣＰＵ（８７）を備え、
前記増設親機には、前記外部入力アダプタのアダプタＣＰＵにて生成された開始信号を検出して、前記音声変換部にて変換された音声を当該増設親機にて外部入力一斉放送させるための増設親機ＣＰＵ（９７）を備えたことを特徴とするインターホンシステム。
【請求項３】
被介護者が看護者を呼び出して通話を成立させるためのナースコール子機（１２ａ、１１３ａ、・・・、１２ｂ、１３ｂ、・・・、・・・）と、前記被介護者からの呼び出しに応答した前記看護者が通話を成立させるためのナースコール親機（３０）と、前記ナースコール子機及び前記ナースコール親機をそれぞれ、制御信号の送受信により制御するための制御機（３３）とを備え、
前記ナースコール子機及び／又は前記ナースコール親機にて行う前記外部入力一斉放送のための音声を外部入力する外部入力部（３１０）と、前記外部入力部に外部入力される音声レベルを前記外部入力一斉放送に必要な音声レベルに変換するための音声変換部（３１１）と、前記外部入力部への外部入力を検出して前記音声変換部を制御するとともに、前記ナースコール親機が送信する前記制御信号をシミュレートした前記外部入力一斉放送のための開始信号を生成するアダプタＣＰＵ（３１２）とを有する外部入力アダプタ（３１）を備え、
前記制御機には、前記外部入力アダプタのアダプタＣＰＵにて生成された開始信号を検出して、前記音声変換部にて変換された音声を前記ナースコール子機及び／又は前記ナースコール親機にて外部入力一斉放送させるための制御機ＣＰＵ（３３０）を備えたことを特徴とするインターホンシステム。
【請求項４】
前記外部アダプタの外部入力部への外部入力は、外部ネットワーク（５、１１、３２）を経由して配信される地震、津波、火砕流等の災害情報であることを特徴とする請求項１乃至請求項３のうち何れか１項記載のインターホンシステム。
【発明の詳細な説明】
【技術分野】
【０００１】
本発明はインターホンシステムに係り、特に、当該インターホンシステムを構成する既存の機器にて外部入力一斉放送を行うことができるインターホンシステムに関する。
【背景技術】
【０００２】
従来から、この種のインターホンシステムとして、集合玄関に居る来訪者からの呼び出しが報知され、これに応答した管理室内等に在室中の管理人が当該来訪者との間で通話を行うとともに、管理人が呼出元または呼出相手先である特定の棟の住戸内に在室中の居住者との間で通話を行い、また、単一または複数の棟の住戸内に在室中の居住者に対して一斉放送を行うための管理室親機を有する集合住宅インターホンシステムが開示されている（例えば、特許文献１を参照。）。
【０００３】
この集合住宅インターホンシステムによれば、当該システムを制御する制御機の制御機メモリに記憶された棟番号を自居室親機の棟番号として居室親機の居室親機メモリへと記憶させることにより、棟番号を指定するのみで当該棟番号に該当する棟の各住戸内に設置された居室親機に対して管理室親機からの一斉放送を報知できる。
【０００４】
【特許文献１】特開２００４−２４７８９６号公報（段落番号「００１２」、「００２３」乃至「００２５」、第１図）
【発明の開示】
【発明が解決しようとする課題】
【０００５】
背景技術に記載した特許文献１の集合住宅インターホンシステムによれば、当該システムを構成する既存の機器である管理室親機からの一斉放送を、制御機の制御により居室親機にて報知するように、一斉放送元は管理室親機に限定されている。このため、例えば、外部ネットワークを経由して配信される地震、津波、火砕流等の災害情報を一斉放送することができず、災害の発生時において迅速な対応が困難であり、この難点を解消するためには、当該システムの設計をやり直す必要があり煩雑さを有していた。
【０００６】
本発明は、この難点を解消するためになされたもので、当該インターホンシステムを構成する一斉放送元の機器から一斉放送先の機器に送信される制御信号についてシミュレートさせた開始信号をもとに外部入力一斉放送を行うことにより、例えば、災害の発生時において迅速な対応を可能としたインターホンシステムを提供することを目的としている。
【課題を解決するための手段】
【０００７】
前述の目的を達成するため、本発明の第１の態様であるインターホンシステムは、来訪者が居住者及び管理人の何れかを呼び出して通話を成立させるための集合玄関機と、来訪者からの呼び出しに応答した管理人が通話を成立させるとともに、管理人が居住者を呼び出して通話及び館内一斉放送の一方を成立させるための管理室親機と、来訪者及び管理人の何れかの呼び出しに応答した居住者が通話を成立させるための居室親機と、集合玄関機、管理室親機及び居室親機をそれぞれ、制御信号の送受信により制御するための制御機とを備えたものである。このインターホンシステムは、居室親機にて行う外部入力一斉放送のための音声を外部入力する外部入力部と、外部入力部に外部入力される音声レベルを外部入力一斉放送に必要な音声レベルに変換するための音声変換部と、外部入力部への外部入力を検出して音声変換部を制御するとともに、管理室親機が送信する制御信号をシミュレートした外部入力一斉放送のための開始信号を生成するアダプタＣＰＵとを有する外部入力アダプタを備えている。制御機には、外部入力アダプタのアダプタＣＰＵにて生成された開始信号を検出して、音声変換部にて変換された音声を居室親機にて外部入力一斉放送させるための制御機ＣＰＵを備えている。
【０００８】
また、本発明の第２の態様であるインターホンシステムは、来訪者が居住者を呼び出して通話を成立させるための玄関子機と、来訪者からの呼び出しに応答した居住者が通話を成立させるための居室親機及び増設親機とを備え、玄関子機、居室親機、増設親機はそれぞれ、制御信号の送受信により制御されるものである。このインターホンシステムは、居室親機及び／又は増設親機にて行う外部入力一斉放送のための音声を外部入力する外部入力部と、外部入力部に外部入力される音声レベルを外部入力一斉放送に必要な音声レベルに変換するための音声変換部と、外部入力部への外部入力を検出して音声変換部を制御するとともに、増設親機が送信する制御信号をシミュレートした外部入力一斉放送のための開始信号を生成するアダプタＣＰＵとを有する外部入力アダプタを備えている。居室親機には、外部入力アダプタのアダプタＣＰＵにて生成された開始信号を検出して、音声変換部にて変換された音声を当該居室親機にて外部入力一斉放送させるための親機ＣＰＵを備えている。増設親機には、外部入力アダプタのアダプタＣＰＵにて生成された開始信号を検出して、音声変換部にて変換された音声を当該増設親機にて外部入力一斉放送させるための増設親機ＣＰＵを備えている。
【０００９】
また、本発明の第３の態様であるインターホンシステムは、被介護者が看護者を呼び出して通話を成立させるためのナースコール子機と、被介護者からの呼び出しに応答した看護者が通話を成立させるためのナースコール親機と、ナースコール子機及びナースコール親機をそれぞれ、制御信号の送受信により制御するための制御機とを備えたものである。このインターホンシステムは、ナースコール子機及び／又はナースコール親機にて行う外部入力一斉放送のための音声を外部入力する外部入力部と、外部入力部に外部入力される音声レベルを外部入力一斉放送に必要な音声レベルに変換するための音声変換部と、外部入力部への外部入力を検出して音声変換部を制御するとともに、ナースコール親機が送信する制御信号をシミュレートした外部入力一斉放送のための開始信号を生成するアダプタＣＰＵとを有する外部入力アダプタを備えている。制御機には、外部入力アダプタのアダプタＣＰＵにて生成された開始信号を検出して、音声変換部にて変換された音声をナースコール子機及び／又はナースコール親機にて外部入力一斉放送させるための制御機ＣＰＵを備えている。
【００１０】
さらに、本発明の第４の態様であるインターホンシステムは、本発明の第１の態様乃至第３の態様において、外部アダプタの外部入力部への外部入力は、外部ネットワークを経由して配信される地震、津波、火砕流等の災害情報である。
【発明の効果】
【００１１】
本発明のインターホンシステムによれば、当該システムをマンション等の集合住宅に設置するにあたり、外部ネットワークを経由して外部入力アダプタの外部入力部に音声信号が外部入力される、例えば、地震、津波、火砕流等の災害情報に伴う外部入力一斉放送のための音声信号が外部入力されると、この外部入力を検出したアダプタＣＰＵは、音声変換部を制御して、外部入力部に外部入力された音声信号の音声レベルを外部入力一斉放送に必要な音声レベルに変換した音声信号を生成させるとともに、管理室親機が制御機に送信する制御信号をシミュレートした外部入力一斉放送のための開始信号を生成することができ、制御機の制御機ＣＰＵは、開始信号について外部入力アダプタのアダプタＣＰＵからの信号であるとの認識が不要となる。これにより、外部入力アダプタを既存のインターホンシステムに接続したとしても、集合玄関機、管理室親機、居室親機及び制御機についてはそれぞれ、ソフト変更等の改造作業が不要となり、安価なシステム構成の当該システムを提供することができるばかりでなく、居室親機での外部入力一斉放送により、災害の発生時において迅速な対応が可能となる。
【００１２】
また、本発明のインターホンシステムによれば、当該システムを戸建住宅に設置するにあたり、外部ネットワークを経由して外部入力アダプタの外部入力部に音声信号が外部入力される、例えば、地震、津波、火砕流等の災害情報に伴う外部入力一斉放送のための音声信号が外部入力されると、この外部入力を検出したアダプタＣＰＵは、音声変換部を制御して、外部入力部に外部入力された音声信号の音声レベルを外部入力一斉放送に必要な音声レベルに変換した音声信号を生成させるとともに、増設親機が居室親機に送信する制御信号をシミュレートした外部入力一斉放送のための開始信号を生成することができ、居室親機の親機ＣＰＵ及び／又は増設親機の増設親機ＣＰＵは、開始信号について外部入力アダプタのアダプタＣＰＵからの信号であるとの認識が不要となる。これにより、外部入力アダプタを既存のインターホンシステムに接続したとしても、玄関子機、居室親機及び増設親機についてはそれぞれ、ソフト変更等の改造作業が不要となり、安価なシステム構成の当該システムを提供することができるばかりでなく、居室親機及び／又は増設親機での外部入力一斉放送により、災害の発生時において迅速な対応が可能となる。
【００１３】
さらに、本発明のインターホンシステムによれば、当該システムを病院や高齢者等を介護するための介護施設に設置するにあたり、外部ネットワークを経由して外部入力アダプタの外部入力部に音声信号が外部入力される、例えば、地震、津波、火砕流等の災害情報に伴う外部入力一斉放送のための音声信号が外部入力されると、この外部入力を検出したアダプタＣＰＵは、音声変換部を制御して、外部入力部に外部入力された音声信号の音声レベルを外部入力一斉放送に必要な音声レベルに変換した音声信号を生成させるとともに、ナースコール親機が制御機に送信する制御信号をシミュレートした外部入力一斉放送のための開始信号を生成することができ、制御機の制御機ＣＰＵは、開始信号について外部入力アダプタのアダプタＣＰＵからの信号であるとの認識が不要となる。これにより、外部入力アダプタを既存のインターホンシステムに接続したとしても、ナースコール子機、ナースコール親機及び制御機についてはそれぞれ、ソフト変更等の改造作業が不要となり、安価なシステム構成の当該システムを提供することができるばかりでなく、ナースコール子機及び／又はナースコール親機での外部入力一斉放送により、災害の発生時において迅速な対応が可能となる。
【発明を実施するための最良の形態】
【００１４】
以下、本発明のインターホンシステムを適用した最良の実施の形態例として、本発明の第１乃至第３の各実施例によるインターホンシステムについて、それぞれの図面を参照して説明する。
【００１５】
図１は、本発明の第１の実施例によるインターホンシステムの全体構成を示すシステム説明図であり、このインターホンシステムは、通常、マンション等の集合住宅に設置されている。
【００１６】
図１に示すインターホンシステムは、集合住宅の集合玄関に設置される集合玄関機１と、集合住宅の管理室内に設置される管理室親機２と、集合住宅の複数の住戸の当該住戸内にそれぞれ設置される（複数の）居室親機３ａ、３ｂ、・・・と、外部ネットワーク５を経由して地震、津波、火砕流等の災害情報が配信される外部入力アダプタ４と、玄関ラインＬ1を経由して接続される集合玄関機１、管理室ラインＬ2を経由して接続される管理室親機２、及び居室ラインＬ3を経由して接続される（複数の）居室親機３ａ、３ｂ、・・・を制御信号の送受信によりそれぞれ制御するとともに、この制御信号をシミュレートした後述する信号により外部入力アダプタ４との間で通信を行うための制御機６とで構成されている。
【００１７】
集合玄関機１には、集合玄関に居る来訪者が住戸内に在室中の居住者及び管理室内に在室中の管理人の何れかを呼び出して通話を成立させるための呼出操作部１０及び通話部１１と、来訪者の映像（集合玄関の周囲近傍の映像を含む。）を撮像するための映像撮像部１２とが備えられている。
【００１８】
管理室親機２には、管理人が居住者を呼び出して通話及び館内一斉放送の一方を成立させるための呼出操作／館内一斉放送操作部２０、通話部及び２１音声入力部２２と、来訪者及び居住者の何れからの呼び出しを報知するための呼出報知部２３と、この呼び出しに応答した管理人が通話を成立させるための呼出応答操作部２４及び通話部２５と、一斉放送のための音声入力部２６と、集合玄関機１にて撮像された映像を出画するための映像出画部２７とが備えられている。
【００１９】
（複数の）居室親機３ａ、３ｂ、・・・はそれぞれ同様な構成で所定の居室番号（詳述せず。）が割り当てられており、来訪者及び管理人の何れかの呼び出しを報知するための呼出報知部３０と、この呼び出しに応答した居住者が通話を成立させるための呼出応答操作部３１及び通話部３２と、管理人による管理室親機２からの館内一斉放送及び外部入力アダプタ４からの外部入力一斉放送の何れかを報知するための放送報知部３３と、居住者が管理人を呼び出して通話を成立させるための呼出操作部３４及び通話部３５と、集合玄関機１にて撮像された映像を出画するための映像出画部３６とが備えられている。
【００２０】
外部入力アダプタ４には、外部入力部４０と、音声変換部４１と、アダプタＣＰＵ４２とが備えられている。ここで、外部入力部４０は、外部ネットワーク５に接続され、（複数の）居室親機３ａ、３ｂ、・・・にて行う外部入力一斉放送のための音声を外部入力するものである。また、音声変換部４１は、外部入力部４０に外部入力される音声レベルを外部入力一斉放送に必要な音声レベルに変換するためのものである。さらに、アダプタＣＰＵ４２は、外部入力部４０への外部入力を検出して音声変換部４１を制御するとともに、管理室親機２が管理室ラインＬ2を経由して制御機６との間で送受信する制御信号をシミュレートした外部入力一斉放送のための開始信号を生成するものである。
【００２１】
制御機６には、制御機ＣＰＵ６０が備えられている。この制御機ＣＰＵ６０は、外部入力アダプタ４のアダプタＣＰＵ４２にて生成されアダプタラインＬ4を経由して伝送されてくる開始信号を検出し、当該外部入力アダプタの音声変換部４１にて変換された音声を（複数の）居室親機３ａ、３ｂ、・・・にて外部入力一斉放送させるためのものである。
【００２２】
このように構成された本発明の第１の実施例によるインターホンシステムにおいて、以下、具体的な動作について説明する。なお、来訪者が居住者及び管理人の何れかを呼び出して通話を成立させるための動作と、来訪者の映像（集合玄関の周囲近傍の映像を含む。）を撮像／出画するための動作と、管理人が居住者を呼び出して通話を成立させるための動作と、来訪者及び居住者の何れからの呼び出しに応答した管理人が通話を成立させるための動作と、来訪者及び管理人の何れかの呼び出しに応答した居住者が通話を成立させるための動作と、居住者が管理人を呼び出して通話を成立させるための動作とはそれぞれ、集合住宅に設置されるインターホンシステム（集合住宅インターホンシステム）における周知の技術事項であるため、説明は省略するものとする。
【００２３】
図１において、管理人が館内一斉放送を成立させるために、管理室親機２の呼出操作／館内一斉放送操作部２０を使用して所定の館内一斉放送起動操作を行うと、管理室ラインＬ2を経由して制御機６に館内一斉放送起動のための制御信号Ｓ1が送出される。この制御信号Ｓ1が管理室親機２からの出力信号であると検出した制御機６の制御機ＣＰＵ６０は、全ての居室親機３ａ、３ｂ、・・・の放送報知部３３を能動にするための制御信号Ｓ2を生成し、居室ラインＬ3を経由して当該全ての居室親機に送出するとともに、管理室親機２の音声入力部２６を能動にするための制御信号Ｓ3を生成し、管理室ラインＬ2を経由して当該管理室親機に送出する。また、制御機ＣＰＵ６０は、管理室親機２の音声入力部２６から管理室ラインＬ2、当該制御機、居室ラインＬ3を経由して全ての居室親機３ａ、３ｂ、・・・の放送報知部３３までの信号伝送路を形成する。
【００２４】
この後、制御機６の制御機ＣＰＵ６０からの制御信号Ｓ3により能動とされる管理室親機２の音声入力部２６を使用して入力された管理人の音声は、館内一斉放送を成立させるための音声信号Ｓ4に信号処理された後、前述の信号伝送路を経由して全ての居室親機３ａ、３ｂ、・・・に伝送され、制御機６の制御機ＣＰＵ６０からの制御信号Ｓ2により能動とされた放送報知部３３から出力されることにより、管理人による館内一斉放送のための音声を全ての居住者に対して報知することができる。
【００２５】
なお、制御機６の制御機ＣＰＵ６０からの制御信号Ｓ2を検出した全ての居室親機３ａ、３ｂ、・・・において、放送報知部３３には、管理人による館内一斉放送がある旨の文字メッセージや絵データ等を当該放送報知部に表示させることもできる。
【００２６】
次に、図１において、外部ネットワーク５を経由して外部入力アダプタ４の外部入力部４０に音声信号が外部入力される、例えば、地震、津波、火砕流等の災害情報に伴う外部入力一斉放送のための音声信号Ｓ5が外部入力されると、この外部入力を検出したアダプタＣＰＵ４２は、管理室親機２が管理室ラインＬ2を経由して制御機６の制御機ＣＰＵ６０に送信する前述の制御信号Ｓ1をシミュレートした外部入力一斉放送のための開始信号Ｓ6を生成してアダプタラインＬ4に送出する。
【００２７】
制御機６の制御機ＣＰＵ６０は、アダプタラインＬ4を経由して外部入力アダプタ４のアダプタＣＰＵ４０から伝送されてきた開始信号Ｓ6について、管理室親機２から管理室ラインＬ2を経由して制御機６の制御機ＣＰＵ６０に送信される前述の制御信号Ｓ1と同等のコマンド体系の信号であると判断する。この制御機ＣＰＵ６０は、外部入力アダプタ４の外部入力部４０及び音声変換部４１をそれぞれ能動にするための制御信号Ｓ7を生成し、前述の開始信号Ｓ6の信号伝送路と逆の経路を経由して当該外部入力アダプタのアダプタＣＰＵ４０に送出する。また、制御機ＣＰＵ６０は、外部入力アダプタ４の音声変換部４１からアダプタラインＬ4、当該制御機、居室ラインＬ3を経由して全ての居室親機３ａ、３ｂ、・・・の放送報知部３３までの信号伝送路を形成する。さらに、制御機ＣＰＵ６０は、全ての居室親機３ａ、３ｂ、・・・の放送報知部３３を能動にするための制御信号Ｓ8を生成し、居室ラインＬ3を経由して当該全ての居室親機に送出する。
【００２８】
外部入力アダプタ４のアダプタＣＰＵ４０は、アダプタラインＬ4を経由して制御機６の制御機ＣＰＵ６０から伝送されてきた制御信号Ｓ7を検出すると、外部入力部４０及び音声変換部４１がそれぞれ能動となるように制御し、外部入力部４０に外部入力された音声信号Ｓ5の音声レベルを外部入力一斉放送に必要な音声レベルに変換した音声信号Ｓ5aを生成させる。この音声信号Ｓ5aは、音声変換部４１からアダプタラインＬ4、制御機６、居室ラインＬ3を経由して全ての居室親機３ａ、３ｂ、・・・に伝送される。
【００２９】
したがって、全ての居室親機３ａ、３ｂ、・・・の放送報知部３３は、居室ラインＬ3を経由して制御機６の制御機ＣＰＵ６０から伝送されてきた制御信号Ｓ8により能動とされ、外部入力アダプタ４からの音声信号Ｓ5aを信号処理して出力することにより、外部ネットワーク５を経由して外部入力アダプタ４の外部入力部４０に外部入力された地震、津波、火砕流等の災害情報に伴う外部入力一斉放送のための音声を全ての居住者に対して報知することができ、迅速な避難誘導が可能となる。
【００３０】
なお、居室ラインＬ3を経由して制御機６の制御機ＣＰＵ６０から伝送されてくる制御信号Ｓ8を検出した全ての居室親機３ａ、３ｂ、・・・において、放送報知部３３には、地震、津波、火砕流等の災害情報に伴う外部入力一斉放送がある旨の文字メッセージや絵データ等を当該放送報知部に表示させることもできる。
【００３１】
本発明の第１の実施例によれば、制御機６の制御機ＣＰＵ６０は、アダプタラインＬ4を経由して伝送されてきた開始信号Ｓ6について、外部入力アダプタ４のアダプタＣＰＵ４２からの信号であるとの認識が不要となる。これにより、外部入力アダプタ４を既存のインターホンシステムに接続したとしても、集合玄関機１、管理室親機２、（複数の）居室親機３ａ、３ｂ、・・・及び制御機６についてはそれぞれ、ソフト変更等の改造作業が不要となり、安価なシステム構成の当該システムを提供することができる。
【００３２】
次に、本発明の第２の実施例によるインターホンシステムについて、図２のシステム説明図を参照して説明する。このインターホンシステムは、通常、戸建住宅に設置されている。
【００３３】
図２に示すインターホンシステムは、戸建住宅の住戸玄関に設置される玄関子機７と、戸建住宅の住戸内に設置される居室親機８及び増設親機９と、外部ネットワーク１１を経由して地震、津波、火砕流等の災害情報が配信される外部入力アダプタ１０とで構成され、玄関子機７及び居室親機８の間、居室親機８及び増設親機９の間、居室親機８及び外部入力アダプタ１０の間はそれぞれ、玄関ラインＬ5、増設ラインＬ6、アダプタラインＬ7を経由して接続されており、玄関子機１、居室親機２及び増設親機３はそれぞれ、制御信号の送受信により制御されるものである。
【００３４】
玄関子機７には、住戸玄関に居る来訪者が住戸内に在室中の居住者を呼び出して通話を成立させるための呼出操作部７０及び通話部７１と、来訪者の映像（住戸玄関の周囲近傍の映像を含む。）を撮像するための映像撮像部７２とが備えられている。
【００３５】
居室親機８には、玄関に居る来訪者からの呼び出しを報知し、この呼び出しに応答した居住者が通話を成立させるための呼出報知部８０、呼出応答操作部８１及び通話部８２と、当該居室親機を使用する居住者が増設親機９を使用する居住者を呼び出して通話を成立させるための呼出操作部８３及び通話部８４と、増設親機９を使用した居住者による一斉放送及び外部入力アダプタ１０からの外部入力一斉放送の何れかを報知するための放送報知部８５と、玄関子機７にて撮像された映像を出画するための映像出画部８６とが備えられている。
【００３６】
増設親機９には、玄関に居る来訪者及び居室親機８を使用する居住者（別途の居住者）からの呼び出しを報知し、この呼び出しに応答した居住者が通話を成立させるための呼出報知部９０、呼出応答操作部９１及び通話部９２と、居室親機８にて一斉放送を成立させるための一斉放送操作部９３と、一斉放送のための音声入力部９４と、外部入力アダプタ１０からの外部入力一斉放送を報知するための放送報知部９５と、玄関子機７にて撮像された映像を出画するための映像出画部９６とが備えられている。
【００３７】
外部入力アダプタ１０には、外部入力部１００と、音声変換部１０１と、アダプタＣＰＵ１０２とが備えられている。ここで、外部入力部１００は、外部ネットワーク１１に接続され、居室親機８及び／又は増設親機９にて行う外部入力一斉放送のための音声を外部入力するためのものである。また、音声変換部１０１は、外部入力部１００に外部入力される音声レベルを外部入力一斉放送に必要な音声レベルに変換するためのものである。さらに、アダプタＣＰＵ１０２は、外部入力部１００への外部入力を検出して音声変換部１０１を制御するとともに、増設親機９が増設ラインＬ6を経由して居室親機８との間で送受信する制御信号をシミュレートした外部入力一斉放送のための開始信号を生成するものである。
【００３８】
また、居室親機８には、前述の構成各部の他に、親機ＣＰＵ８７が備えられている。この親機ＣＰＵ８７は、外部入力アダプタ１０のアダプタＣＰＵ１０２にて生成されアダプタラインＬ7を経由して伝送されてくる開始信号を検出し、当該外部入力アダプタの音声変換部１０１にて変換された音声を自居室親機にて外部入力一斉放送させるためのものである。
【００３９】
さらに、増設親機９には、前述の構成各部の他に、増設親機ＣＰＵ９７が備えられている。この増設親機ＣＰＵ９７は、外部入力アダプタ１０のアダプタＣＰＵ１０２にて生成されアダプタラインＬ7、居室親機８（の親機ＣＰＵ８７）、増設ラインＬ8を経由して伝送されてくる開始信号を検出し、当該外部入力アダプタの音声変換部１０１にて変換された音声を自増設親機にて外部入力一斉放送させるためのものである。
【００４０】
このように構成された本発明の第２の実施例によるインターホンシステムにおいて、以下、具体的な動作について説明する。なお、来訪者が居住者を呼び出して通話を成立させるための動作と、異なる居住者との間で呼び出し（内線呼び出し）を行い通話を成立させるための動作と、来訪者の映像（住戸玄関の周囲近傍の映像を含む。）を撮像／出画するための動作とはそれぞれ、戸建住宅に設置されるインターホンシステムにおける周知の技術事項であるため、説明は省略するものとする。
【００４１】
図２において、増設親機９を使用する居住者が一斉放送を成立させるために、当該増設親機の一斉放送操作部９３を使用して所定の一斉放送起動操作を行うと、この操作を検出した増設親機ＣＰＵ９７から増設ラインＬ6を経由して居室親機８の親機ＣＰＵ８７に一斉放送起動のための制御信号Ｓ9が送出される。この制御信号Ｓ9が増設親機９の増設親機ＣＰＵ９７からの出力信号であると検出した居室親機８の親機ＣＰＵ８７は、放送報知部８５を能動にするとともに、増設親機９の音声入力部９４を能動にするための制御信号Ｓ10を生成して増設ラインＬ6を経由して当該増設親機に送出する。また、親機ＣＰＵ８７は、増設親機９の音声入力部９４から増設ラインＬ6を経由して自居室親機の放送報知部８５までの信号伝送路を形成する。
【００４２】
この後、居室親機８の親機ＣＰＵ８７からの制御信号Ｓ10を検出した増設親機８の増設親機ＣＰＵ９７の制御により能動とされる音声入力部９４を使用して入力された居住者の音声は、一斉放送を成立させるための音声信号Ｓ11に信号処理され、前述の信号伝送路を経由して居室親機８に伝送され、親機ＣＰＵ８７の制御により能動とされた放送報知部８５から出力されることにより、増設親機９を使用した居住者による一斉放送のための音声を、居室親機８を使用する居住者に対して報知することができる。
【００４３】
なお、居室親機８において、親機ＣＰＵ８７の制御により能動とされた放送報知部８５には、増設親機９を使用した居住者による一斉放送がある旨の文字メッセージや絵データ等を当該放送報知部に表示させることもできる。
【００４４】
次に、図２において、外部ネットワーク１１を経由して外部入力アダプタ１０の外部入力部１００に音声信号が外部入力される、例えば、地震、津波、火砕流等の災害情報に伴う外部入力一斉放送のための音声信号Ｓ12が外部入力されると、この外部入力を検出したアダプタＣＰＵ１０２は、増設親機９の増設親機ＣＰＵ９７から増設ラインＬ6を経由して居室親機８の親機ＣＰＵ８７に送信される前述の制御信号Ｓ9をシミュレートした外部入力一斉放送のための開始信号Ｓ13を生成してアダプタラインＬ7に送出する。
【００４５】
居室親機８の親機ＣＰＵ８７は、アダプタラインＬ7を経由して外部入力アダプタ１０のアダプタＣＰＵ１０２から伝送されてきた開始信号Ｓ13について、増設親機９の増設親機ＣＰＵ９７から増設ラインＬ6を経由して当該親機ＣＰＵに送信される前述の制御信号Ｓ9と同等のコマンド体系の信号であると判断する。この親機ＣＰＵ８７は、外部入力アダプタ１０の外部入力部１００及び音声変換部１０１をそれぞれ能動にするための制御信号Ｓ14を生成し、前述の開始信号Ｓ13の信号伝送路と逆の経路を経由して当該外部入力アダプタのアダプタＣＰＵ１０２に送出するとともに、外部入力アダプタ１０の音声変換部１０１からアダプタラインＬ7を経由して自居室親機の放送報知部８５までの信号伝送路を形成する。また、親機ＣＰＵ８７は、親機報知部８５が能動となるように制御する。さらに、親機ＣＰＵ８７は、アダプタラインＬ7を経由して外部入力アダプタ１０から伝送されてきた開始信号Ｓ13を、増設ラインＬ6を経由して増設親機９に送出する。
【００４６】
また、増設親機９の増設親機ＣＰＵ９７は、増設ラインＬ6、居室親機８の親機ＣＰＵ８７、アダプタラインＬ7を経由して外部入力アダプタ１０のアダプタＣＰＵ１０２から伝送されてきた開始信号Ｓ13について、当該増設親機ＣＰＵから増設ラインＬ6を経由して居室親機８の親機ＣＰＵ８７に送信される前述の制御信号Ｓ9と同等のコマンド体系の信号であると判断する。この増設親機ＣＰＵ９７は、放送報知部９５が能動となるように制御するとともに、居室親機８の親機ＣＰＵ８７から増設ラインＬ6を経由して自増設親機の放送報知部９５までの信号伝送路を形成する。
【００４７】
外部入力アダプタ１０のアダプタＣＰＵ１０２は、アダプタラインＬ7を経由して居室親機８の親機ＣＰＵ８７から伝送されてきた制御信号Ｓ14を検出すると、外部入力部１００及び音声変換部１０１がそれぞれ能動となるように制御し、外部入力部１００に外部入力された音声信号Ｓ12の音声レベルを外部入力一斉放送に必要な音声レベルに変換した音声信号Ｓ12aを生成させる。この音声信号Ｓ12aは、音声変換部１０１からアダプタラインＬ7を経由して居室親機８と、当該居室親機から増設ラインＬ6を経由して増設親機９とにそれぞれ伝送される。
【００４８】
したがって、居室親機８の放送報知部８５は、外部入力アダプタ１０の音声変換部１０１からの音声信号Ｓ12aを信号処理して出力することにより、外部ネットワーク１１を経由して外部入力アダプタ１０の外部入力部１００に外部入力された地震、津波、火砕流等の災害情報に伴う外部入力一斉放送のための音声を、自居室親機を使用する居住者に対して報知することができ、迅速な避難誘導が可能となる。
【００４９】
また、増設親機９の放送報知部９５は、前述の居室親機８の放送報知部８５と同様、外部入力アダプタ１０の音声変換部１０１からの音声信号Ｓ12aを信号処理して出力することにより、外部ネットワーク１１を経由して外部入力アダプタ１０の外部入力部１００に外部入力された地震、津波、火砕流等の災害情報に伴う外部入力一斉放送のための音声を、自増設親機を使用する居住者に対して報知することができ、迅速な避難誘導が可能となる。
【００５０】
なお、外部入力アダプタ１０のアダプタＣＰＵ１０２からの開始信号Ｓ13を検出した居室親機８の親機ＣＰＵ８７の制御により能動とされた放送報知部８５及び増設親機９の増設親機ＣＰＵ９７の制御により能動とされた放送報知部９５にはそれぞれ、地震、津波、火砕流等の災害情報に伴う外部入力一斉放送がある旨の文字メッセージや絵データ等を表示させることもできる。
【００５１】
本発明の第２の実施例によれば、居室親機８の親機ＣＰＵ８７は、アダプタラインＬ7を経由して伝送されてきた開始信号Ｓ13について、外部入力アダプタ１０のアダプタＣＰＵ１０２からの信号であるとの認識が不要となる。また、増設親機９の増設親機ＣＰＵ９７は、増設ラインＬ6、居室親機８、アダプタラインＬ7を経由して伝送されてきた開始信号Ｓ11について、外部入力アダプタ１０のアダプタＣＰＵ１０２からの信号であるとの認識が不要となる。これにより、外部入力アダプタ１０を既存のインターホンシステムに接続したとしても、玄関子機７、居室親機８及び増設親機９についてはそれぞれ、ソフト変更等の改造作業が不要となり、安価なシステム構成の当該システムを提供することができる。
【００５２】
また、本発明の第２の実施例においては、外部ネットワーク１１を経由して外部入力アダプタ１０の外部入力部１００に外部入力された地震、津波、火砕流等の災害情報に伴う外部入力一斉放送のための音声を報知する機器として、居室親機８及び増設親機９を適用したが、この態様に限定されるものではない。例えば、居室親機８のみ又は増設親機９のみに報知させることもでき、さらには、玄関子機７を加えることもできる。なお、玄関子機７を加えるにあたって放送開始のための操作は、居室親機８にて行われる（詳述せず。）ものである。
【００５３】
次に、本発明の第３の実施例によるインターホンシステムについて、図３のシステム説明図を参照して説明する。このインターホンシステムは、通常、病院や高齢者等を介護するための介護施設に設置されている。
【００５４】
図３に示すインターホンシステムは、病院や介護施設の複数の部屋（以下、病室という。）にそれぞれ設置される（複数の）ナースコール子機１２ａ、１３ａ、・・・、１２ｂ、１３ｂ、・・・、・・・と、病室の出入口近傍に設置される（複数の）廊下灯２０ａ、２０ｂ、・・・と、ナースセンターに設置されるナースコール親機３０と、外部ネットワーク３２を経由して地震、津波、火砕流等の災害情報が配信される外部入力アダプタ３１と、廊下灯ラインＬ9を経由して接続される（複数の）廊下灯２０ａ、２０ｂ、・・・、親機ラインＬ10を経由して接続されるナースコール親機３０をそれぞれ、制御信号の送受信により制御するとともに、この制御信号をシミュレートした後述する信号によりアダプタラインＬ11を経由して接続される外部入力アダプタ３１との間で通信を行うための制御機３３とで構成されている。また、（複数の）廊下灯２０ａ、２０ｂ、・・・及び（複数の）ナースコール子機１２ａ、１３ａ、・・・、１２ｂ、１３ｂ、・・・、・・・の間はそれぞれ、子機ラインＬ8a、Ｌ8b、・・・をそれぞれ経由して接続、ここでは、バス接続されている。なお、（複数の）廊下灯２０ａ、２０ｂ、・・・及び（複数の）ナースコール子機１２ａ、１３ａ、・・・、１２ｂ、１３ｂ、・・・、・・・の間はそれぞれ、前述のバス接続の態様に限定されるものではなく、個別の配線で接続することもできる。
【００５５】
（複数の）ナースコール子機１２ａ、１３ａ、・・・、１２ｂ、１３ｂ、・・・、・・・はそれぞれ同様な構成で所定のベッド番号（詳述せず。）が割り当てられており、病室内の被介護者、例えば、患者が看護者、例えば、ナースセンターに在室中の看護師を呼び出して通話を成立させるための呼出操作部１２０及び通話部１２１と、看護師によるナースコール親機３０からの一斉放送及び外部入力アダプタ３１からの外部入力一斉放送の何れかを報知するための放送報知部１２２とが備えられている。
【００５６】
ナースコール親機３０は、病室内の患者からの呼び出しからの呼び出しを報知するための呼出報知部３００と、この呼び出しにナースセンターに在室中の看護師が応答して通話を成立させるためのもの呼出応答操作部３０１及び通話部３０２と、看護師による一斉放送を起動するための一斉放送操作部３０３と、一斉放送のための音声入力部３０４と、外部入力アダプタ３１からの外部入力一斉放送の放送報知部３０５とが備えられている。
【００５７】
外部入力アダプタ３１には、外部入力部３１０と、音声変換部３１１と、アダプタＣＰＵ３１２とが備えられている。ここで、外部入力部３１０は、外部ネットワーク３２に接続され、（複数の）ナースコール子機１２ａ、１３ａ、・・・、１２ｂ、１３ｂ、・・・、・・・及び／又はナースコール親機３０にて行う外部入力一斉放送のための音声を外部入力するためのものである。また、音声変換部３１１は、外部入力部３１０に外部入力される音声レベルを外部入力一斉放送に必要な音声レベルに変換するためのものである。さらに、アダプタＣＰＵ３１２は、外部入力部３１０への外部入力を検出して音声変換部３１１を制御するとともに、ナースコール親機３０が親機ラインＬ10を経由して制御機３３との間で送受信する制御信号をシミュレートした外部入力一斉放送のための開始信号を生成するものである。
【００５８】
制御機３３には、制御機ＣＰＵ３３０が備えられている。この制御機ＣＰＵ３３０は、外部入力アダプタ３１のアダプタＣＰＵ３１２にて生成されアダプタラインＬ11を経由して伝送されてくる開始信号を検出し、当該外部入力アダプタの音声変換部３１１にて変換された音声を（複数の）ナースコール子機１２ａ、１３ａ、・・・、１２ｂ、１３ｂ、・・・、・・・及び／又はナースコール親機３０にて外部入力一斉放送させるためのものである。
【００５９】
このように構成された本発明の第３の実施例によるインターホンシステムにおいて、以下、具体的な動作について説明する。なお、患者が看護師を呼び出して通話を成立させるための動作は、病院や介護施設に設置されるインターホンシステム（ナースコールシステム）における周知の技術事項であるため、説明は省略するものとする。
【００６０】
図３において、看護師が一斉放送を成立させるために、ナースコール親機３０の一斉放送操作部３０３を使用して所定の一斉放送起動操作を行うと、親機ラインＬ10を経由して制御機３３に一斉放送起動のための制御信号Ｓ15が送出される。この制御信号Ｓ15がナースコール親機３０からの出力信号であると検出した制御機３３の制御機ＣＰＵ３３０は、全てのナースコール子機１２ａ、１３ａ、・・・、１２ｂ、１３ｂ、・・・、・・・の放送報知部１２２を能動にするための制御信号Ｓ16を生成し、廊下灯ラインＬ9、全ての廊下灯２０ａ、２０ｂ、・・・、子機ラインＬ8a、Ｌ8b、・・・を経由して当該ナースコール子機に送出するとともに、ナースコール親機３０の音声入力部３０４を能動にするための制御信号Ｓ17を生成し、親機ラインＬ10を経由して当該ナースコール親機に送出する。また、制御機ＣＰＵ３３０は、ナースコール親機３０の音声入力部３０４から親機ラインＬ10、当該制御機、廊下灯ラインＬ9、全ての廊下灯２０ａ、２０ｂ、・・・、子機ラインＬ8a、Ｌ8b、・・・を経由して当該全てのナースコール子機の放送報知部１２２までの信号伝送路を形成する。
【００６１】
この後、制御機３３の制御機ＣＰＵ３３０からの制御信号Ｓ17により能動とされるナースコール親機３０の音声入力部３０４を使用して入力された看護者の音声は、一斉放送を成立させるための音声信号Ｓ18に信号処理され、前述の信号伝送路を経由して全てのナースコール子機１２ａ、１３ａ、・・・、１２ｂ、１３ｂ、・・・、・・・にそれぞれ伝送され、制御機３３の制御機ＣＰＵ３３０からの制御信号Ｓ16により能動とされた放送報知部１２２から出力されることにより、看護師による一斉放送のための音声を全ての患者に対して報知することができる。
【００６２】
次に、図３において、外部ネットワーク３２を経由して外部入力アダプタ３１の外部入力部３１０に音声信号が外部入力される、例えば、地震、津波、火砕流等の災害情報に伴う外部入力一斉放送のための音声信号Ｓ19が外部入力されると、この外部入力を検出したアダプタＣＰＵ３１２は、ナースコール親機３０から親機ラインＬ10を経由して制御機３３の制御機ＣＰＵ３３０に送信される前述の制御信号Ｓ15をシミュレートした外部入力一斉放送のための開始信号Ｓ20を生成してアダプタラインＬ11に送出する。
【００６３】
制御機３３の制御機ＣＰＵ３３０は、アダプタラインＬ11を経由して外部入力アダプタ３３のアダプタＣＰＵ３１１から伝送されてきた開始信号Ｓ20について、ナースコール親機３０から親機ラインＬ10を経由して制御機３３の制御機ＣＰＵ３３０に送信される前述の制御信号Ｓ15と同等のコマンド体系の信号であると判断する。この制御機ＣＰＵ３３０は、外部入力アダプタ３１の外部入力部３１０及び音声変換部３１１をそれぞれ能動にするための制御信号Ｓ21を生成し、前述の開始信号Ｓ20の信号伝送路と逆の経路を経由して当該外部入力アダプタのアダプタＣＰＵ３１２に送出する。また、制御機ＣＰＵ３３０は、外部入力アダプタ３１の音声変換部３１１からアダプタラインＬ11、当該制御機、廊下灯ラインＬ9、全ての廊下灯２０ａ、２０ｂ、・・・、子機ラインＬ8a、Ｌ8b、・・・を経由して全てのナースコール子機１２ａ、１３ａ、・・・、１２ｂ、１３ｂ、・・・、・・・の放送報知部１２２までの信号伝送路と、外部入力アダプタ３１の音声変換部３１１からアダプタラインＬ11、当該制御機、親機ラインＬ10を経由してナースコール親機３０の放送報知部３０５までの信号伝送路とをそれぞれ形成する。また、制御機ＣＰＵ３３０は、全てのナースコール子機１２ａ、１３ａ、・・・、１２ｂ、１３ｂ、・・・、・・・の放送報知部１２２を能動にするための制御信号Ｓ22を生成し、廊下灯ラインＬ9、全ての廊下灯２０ａ、２０ｂ、・・・、子機ラインＬ8a、Ｌ8b、・・・を経由して当該全てのナースコール子機に送出する。さらに、制御機ＣＰＵ３３０は、ナースコール親機３０の放送報知部３０５を能動にするための制御信号Ｓ23を生成し、親機ラインＬ10を経由して当該ナースコール親機に送出する。
【００６４】
外部入力アダプタ３１のアダプタＣＰＵ３１２は、アダプタラインＬ11を経由して制御機３３の制御機ＣＰＵ３３０から伝送されてきた制御信号Ｓ21を検出すると、外部入力部３１０及び音声変換部３１１がそれぞれ能動となるように制御し、外部入力部３１０に外部入力された音声信号Ｓ19の音声レベルを外部入力一斉放送に必要な音声レベルに変換した音声信号Ｓ19aを生成させる。この音声信号Ｓ19aは、音声変換部３１１からアダプタラインＬ11、制御機３３、廊下灯ラインＬ9、全ての廊下灯２０ａ、２０ｂ、・・・、子機ラインＬ8a、Ｌ8b、・・・を経由して全てのナースコール子機１２ａ、１３ａ、・・・、１２ｂ、１３ｂ、・・・、・・・と、音声変換部３１１からアダプタラインＬ11、制御機３３、親機ラインＬ10を経由してナースコール親機３０とにそれぞれ伝送される。
【００６５】
したがって、全てのナースコール子機１２ａ、１３ａ、・・・、１２ｂ、１３ｂ、・・・、・・・の放送報知部１２２は、制御機３３の制御機ＣＰＵ３３０から伝送されてきた制御信号Ｓ22により能動とされ、外部入力アダプタ３１からの音声信号Ｓ19aを信号処理して出力することにより、外部ネットワーク３２を経由して外部入力アダプタ３１の外部入力部３１０に外部入力された地震、津波、火砕流等の災害情報に伴う外部入力一斉放送のための音声を全ての患者に対して報知することができ、迅速な避難誘導が可能となる。
【００６６】
また、ナースコール親機３０の放送報知部３０５は、制御機３３の制御機ＣＰＵ３３０から伝送されてきた制御信号Ｓ23により能動とされ、外部入力アダプタ３１からの音声信号Ｓ19aを信号処理して出力することにより、外部ネットワーク３２を経由して外部入力アダプタ３１の外部入力部３１０に外部入力された地震、津波、火砕流等の災害情報に伴う外部入力一斉放送のための音声を看護師に対して報知することができ、迅速な避難誘導が可能となる。
【００６７】
なお、制御機３３の制御機ＣＰＵ３３０から伝送されてくる制御信号Ｓ23を検出したナースコール親機３０において、放送報知部３０５には、地震、津波、火砕流等の災害情報に伴う外部入力一斉放送がある旨の文字メッセージや絵データ等を表示させることもできる。
【００６８】
本発明の第３の実施例によれば、制御機３３の制御機ＣＰＵ３３０は、アダプタラインＬ11を経由して伝送されてきた開始信号Ｓ20について、外部入力アダプタ３１のアダプタＣＰＵ３１２からの信号であるとの認識が不要となる。これにより、外部入力アダプタ３１を既存のインターホンシステムに接続したとしても、（複数の）ナースコール子機１２ａ、１２ｂ、・・・、１３ａ、１３ｂ、・・・、・・・、ナースコール親機３０及び制御機３３についてはそれぞれ、ソフト変更等の改造作業が不要となり、安価なシステム構成の当該装置を提供することができる。
【００６９】
また、本発明の第３の実施例においては、外部ネットワーク３２を経由して外部入力アダプタ３１の外部入力部３１０に外部入力された地震、津波、火砕流等の災害情報に伴う外部入力一斉放送のための音声を報知する機器として、（複数の）ナースコール子機１２ａ、１３ａ、・・・、１２ｂ、１３ｂ、・・・、・・・及びナースコール親機３０を適用したが、この態様に限定されるものではない。例えば、（複数の）ナースコール子機１２ａ、１３ａ、・・・、１２ｂ、１３ｂ、・・・のみ又はナースコール親機３０のみに報知させることもできる。
【００７０】
また、本発明の第３の実施例においては、看護師によるナースコール親機３０からの一斉放送及び外部入力アダプタ３１からの外部入力一斉放送の何れかを報知する機器として、（複数の）ナースコール子機１２ａ、１３ａ、・・・、１２ｂ、１３ｂ、・・・、・・・を適用したが、この態様に限定されるものではない。例えば、（複数の）廊下灯２０ａ、２０ｂ、・・・に適宜な放送報知手段（詳述せず。）を備えることにより、当該ナースコール子機と同様な放送報知を成立させることもできる。
【００７１】
また、本発明の第３の実施例においては、（複数の）ナースコール子機１２ａ、１３ａ、・・・、１２ｂ、１３ｂ、・・・、・・・の設置場所として病室（病室内）を適用したが、この態様に限定されるものではない。例えば、廊下やトイレ等に設置することもできる。
【００７２】
さらに、本発明の第３の実施例においては、ナースコール親機３０の設置台数が１台である場合について説明したが、この態様に限定されるものではない。例えば、複数台のナースコール親機３０、３０、・・・をそれぞれ、単一又は複数のナースセンターに設置することもできる。
【００７３】
なお、本発明のインターホンシステムにおいては、前述までの第１乃至第３の各実施例のように特定の実施の形態をもって説明してきたが、この形態に限定されるものでなく、本発明の効果を奏する限り、これまで知られた如何なる構成のインターホンホンシステムであっても採用できるということはいうまでもないことである。
【図面の簡単な説明】
【００７４】
【図１】本発明の第１の実施例によるインターホンシステムの全体構成を示すシステム説明図。
【図２】本発明の第２の実施例によるインターホンシステムの全体構成を示すシステム説明図。
【図３】本発明の第３の実施例によるインターホンシステムの全体構成を示すシステム説明図。
【符号の説明】
【００７５】
１……集合玄関機
２……管理室親機
３ａ、３ｂ、・・・……（複数の）居室親機
４、１０、３１……外部入力アダプタ
４０、１００、３１０……外部入力部
４１、１０１、３１１……音声変換部
４２、１０２、３１２……アダプタＣＰＵ
５、１１、３２……外部ネットワーク
６、３３……制御機
６０、３３０……制御機ＣＰＵ
７……玄関子機
８……居室親機
８７……親機ＣＰＵ
９……増設親機
９７……増設親機ＣＰＵ
１２ａ、１３ａ、・・・、１２ｂ、１３ｂ、・・・、・・・……（複数の）ナースコール子機
３０……ナースコール親機
【図１】
2008187657.tif 000003
【図２】
2008187657.tif 000004
【図３】
2008187657.tif 000005